(57)【要約】【課題】  パチンコ機等の遊技機の遊技盤面を走行する遊技球が、入賞口の開閉片等の揺動片とそれに対向する部品との間に介在した状態で留まる球噛みを確実に防止することができる遊技機の球噛み防止装置の提供を課題とする。【解決手段】  遊技球Ｂが走行する遊技盤面１上における揺動片４４と該揺動片４４に対向して存在する部品２との間に前記遊技球Ｂが介在した状態で留まる球噛みを防止する遊技機の球噛み防止装置であって、前記揺動片４４若しくは対向して存在する部品２の何れか一方又は両方における前記介在遊技球Ｂに当接する部分に回転自在な回転ガイド体４８を設けた。【選択図】        図４−１
2005034516.tif 000002
【特許請求の範囲】
【請求項１】
遊技球が走行する遊技盤面上における揺動片と該揺動片に対向して存在する部品との間に前記遊技球が介在した状態で留まる球噛みを防止する遊技機の球噛み防止装置であって、前記揺動片若しくは対向して存在する部品の何れか一方又は両方における前記介在遊技球に当接する部分に回転自在な回転ガイド体を設けてあることを特徴とする遊技機の球噛み防止装置。
【請求項２】
揺動片は球の入賞口を開閉する開閉片であり、開閉片の先端付近に回転ガイド体を設けてあることを特徴とする請求項１に記載の遊技機の球噛み防止装置。
【請求項３】
回転ガイド体は回転自在に軸支された円筒若しくは円柱であることを特徴とする請求項１又は２に記載の遊技機の球噛み防止装置。
【請求項４】
回転ガイド体は平行な２つの回転軸で回転自在に軸支された回転ベルトであることを特徴とする請求項１又は２に記載の遊技機の球噛み防止装置。
【請求項５】
対向して存在する部品は遊技釘とし、回転ガイド体は該遊技釘に回転自在に軸支された円筒であることを特徴とする請求項１〜４の何れかに記載の遊技機の球噛み防止装置。
【発明の詳細な説明】
【技術分野】
【０００１】
本発明はパチンコ機等の遊技機の球噛み防止装置に関する。
【背景技術】
【０００２】
従来、パチンコ機における遊技盤面には、普通電動役物、特別電動役物といった可変入賞装置が設けられており、所定の開放条件が成立すると、開閉片が入賞口を閉止する位置から開放する位置に移動し、所定の閉塞条件が成立すると、開閉片が開放位置から閉止位置に移動するようになされている。
そして前記開閉片が開閉移動する際、遊技球が移動途中の開閉片と他の部品、例えば遊技釘、入賞口の縁部、遊技盤面のカバーガラスとの間に介在して挟まり、その挟まった状態でバランスがとれてしまうといったことが生じていた。即ち、開閉片が開閉途中で球噛み状態となる問題があった。
このような球噛みを防止することができる可能性のある従来技術として、特開２００３−７９８６１には、可動入賞装置の開閉用可動手段にパチンコ球を弾く板バネを備えた技術が開示されている。
【特許文献１】特開２００３−７９８６１号公報
【発明の開示】
【発明が解決しようとする課題】
【０００３】
ところが上記特開２００３−７９８６１号公報に記載の従来の技術では、パチンコ球は板バネの表面に直角な方向に押されることから、球噛みを解消する方向への誘導とは言えず、遊技球の球噛みを防止する手段としては、十分な手段とは言えないものであった。
【０００４】
そこで本発明は上記従来の問題を解消し、パチンコ機等の遊技機の遊技盤面を走行する遊技球が、入賞口の開閉片等の揺動片とそれに対向する部品との間に介在した状態で留まる球噛みを確実に防止することができる遊技機の球噛み防止装置の提供を課題とする。
【課題を解決するための手段】
【０００５】
上記課題を達成するため、本発明の遊技機の球噛み防止装置は、遊技球が走行する遊技盤面上における揺動片と該揺動片に対向して存在する部品との間に前記遊技球が介在した状態で留まる球噛みを防止する遊技機の球噛み防止装置であって、前記揺動片若しくは対向して存在する部品の何れか一方又は両方における前記介在遊技球に当接する部分に回転自在な回転ガイド体を設けてあることを第１の特徴としている。
また本発明の遊技機の球噛み防止装置は、上記第１の特徴に加えて、揺動片は球の入賞口を開閉する開閉片であり、開閉片の先端付近に回転ガイド体を設けてあることを第２の特徴としている。
また本発明の遊技機の球噛み防止装置は、上記第１又は第２の特徴に加えて、回転ガイド体は回転自在に軸支された円筒若しくは円柱であることを第３の特徴としている。
また本発明の遊技機の球噛み防止装置は、上記第１又は第２の特徴に加えて、回転ガイド体は平行な２つの回転軸で回転自在に軸支された回転ベルトであることを第４の特徴としている。
また本発明の遊技機の球噛み防止装置は、上記第１〜第４の何れかに記載の特徴に加えて、対向して存在する部品は遊技釘とし、回転ガイド体は該遊技釘に回転自在に軸支された円筒であることを第５の特徴としている。
【０００６】
上記第１の特徴においては、遊技盤面上を走行する遊技球が揺動片と該揺動片に対向する部品との間に侵入して介在状態となると、遊技球に対して前記揺動片と部品との何れか一方又は両方に設けられた回転ガイド体が当接することになり、しかも回転ガイド体は僅かな力が加わることで容易に回転するため、遊技球はその回転ガイド体との接点において接線方向（挟み込み方向とは略直角な方向）に容易にバランスを崩すことになる。その結果として、遊技球は介在状態に留まることなく、その状態から速やかに脱出することになる。
【０００７】
上記第２の特徴においては、入賞口を開閉する開閉片の先端付近に回転ガイド体が設けられていることから、遊技盤面上を走行する遊技球が入賞口の開閉片と該開閉片に対向する部品との間に侵入して介在状態となると、開閉片の先端付近に設けられた回転ガイド体が遊技球に当接するため、回転ガイド体の僅かな回転によって遊技球に対する挟み込みバランスが容易に崩れる。その結果、遊技球は入賞口へ入るか、入賞口外へ流れることになる。またこれによって入賞口の開閉片は中途半端な開閉位置に留まることがなくなる。
【０００８】
上記第３の特徴においては、回転ガイド体が円筒若しくは円柱であることから、介在状態になった遊技球は回転ガイド体の円筒若しくは円柱の側周面の１点で当接することになる。このため遊技球の介在状態における位置的不安定性が大きく、回転ガイド体のほんの僅かな回転により容易にバランスを崩すことになる。その結果として、遊技球は介在状態に留まることなく、更に移動してゆく。
【０００９】
上記第４の特徴においては、遊技盤面上を走行する遊技球が開閉片等の揺動片とそれに対向する部品との間に侵入して介在状態となると、遊技球に対して回転ガイド体としての回転ベルトが当接することになる。この回転ベルトは回転自在の２つの平行な回転軸に軸支されて、回転自在であるから、走行してきた遊技球が回転ベルトに当接すると、回転ベルトが回転する。その結果、遊技球はその介在状態から容易にバランスを崩し、介在状態を脱することになる。
また回転ガイド体が前記回転ベルトである場合は、回転ベルトが２つの回転軸によって軸支されていることから、回転ベルトの途中に遊技球が当たると、その衝突力が多少吸収されることになる。よって回転ベルトが入賞口の開閉片の先端付近に設けられている場合には、遊技球が開放状態にある開閉片に勢いよく飛び込んできた場合でも、その勢いが回転ベルトで吸収されて緩和される。このため一旦、入賞口内に入った遊技球がその勢いで入賞口外に飛び出ることが少なくなる。
【００１０】
また上記第５の特徴においては、回転ガイド体は開閉片等の揺動片に対向する遊技釘に設けられるので、開閉片等の揺動片には設けなくてもよくなる。また遊技釘は回転ガイド体である円筒によって保護されているので、遊技釘に変形、反り等の歪みが生じるのが減少する。また回転ガイド体の材質にもよるが、遊技釘に衝突する遊技球の跳ねが少なくなる。
【発明の効果】
【００１１】
請求項１に記載の遊技機の球噛み防止装置によれば、遊技球が走行する遊技盤面上における揺動片と該揺動片に対向して存在する部品との間に前記遊技球が介在した状態で留まる球噛みを防止する遊技機の球噛み防止装置であって、前記揺動片若しくは対向して存在する部品の何れか一方又は両方における前記介在遊技球に当接する部分に回転自在な回転ガイド体を設けてあるので、
例え遊技球が揺動片とそれに対向する部品との間に介在状態となることがあっても、回転ガイド体によって遊技球が介在状態に留まるのを確実に防止することができ、また揺動片が中途半端な位置で留まってしまう不都合を確実に防止することができる。
【００１２】
また請求項２に記載の遊技機の球噛み防止装置によれば、上記請求項１に記載の構成による効果に加えて、入賞口を開閉する開閉片の先端付近に回転ガイド体を設けてあるので、
遊技球が入賞口の開閉片とそれに対向する部品との間に介在状態となることがあっても、開閉片の先端付近に設けられた回転ガイド体によって、遊技球が入賞口の入口付近で介在状態に留まるのを確実に防止して、入賞口内へ導き入れるか、入賞口外へ導き出すことができる。そして入賞口の開閉片が入賞口を中途半端に開放したような状態になることを確実に防止することができる。
【００１３】
また請求項３に記載の遊技機の球噛み防止装置によれば、上記請求項１又は２に記載の構成による効果に加えて、回転ガイド体は回転自在に軸支された円筒若しくは円柱であるので、
介在状態になった遊技球のバランスをごく容易に崩すことができ、遊技球が介在状態に留まることをより確実に防止することができる。更に円筒又は円柱の回転ガイド体の長さ方向の何れかの位置において遊技球が介在状態となっても、それを確実に解消することができる。
【００１４】
また請求項４に記載の遊技機の球噛み防止装置によれば、上記請求項１又は２に記載の構成による効果に加えて、回転ガイド体は平行な２つの回転軸で回転自在に軸支された回転ベルトであるので、
介在状態となった遊技球のバランスを回転ベルトによって簡単に崩すことができ、遊技球が介在状態に留まるのを確実に防止することができる。
また回転ベルトが入賞口の開閉片の先端付近に設けられる場合は、遊技球が開放状態にある開閉片に勢いよく飛び込んできた場合でも、その勢いを回転ベルトで吸収することができる。よって一旦、開閉片の中に入った遊技球が、その勢いで入賞口外に飛び出してしまうといった好ましからざる事態を確実に防止することができる。
【００１５】
また請求項５に記載の遊技機の球噛み防止装置によれば、上記請求項１〜４の何れかに記載の構成による効果に加えて、対向して存在する部品は遊技釘とし、回転ガイド体は該遊技釘に回転自在に軸支された円筒であるので、
開閉片等の揺動片には必ずしも回転ガイド体を設ける必要がない。しかし両方に設ければ、一層確実に球噛みを防止することができる。
加えて遊技球による打撃を頻繁に受ける遊技釘を、回転ガイド体である円筒によって保護することができ、これによって遊技釘の変形、反り等の歪みや劣化を軽減することができる。また回転ガイド体の材質にもよるが、遊技釘に衝突する遊技球の跳ねを少なく調整することができる。
【発明を実施するための最良の形態】
【００１６】
（第１実施形態）
図１は本発明の装置を用いたパチンコ機の遊技盤面の例を示す正面図、図２は本発明の装置を用いたパチンコ機の入賞口の例としての普通電動役物の斜視図、図３は同じく普通電動役物の分解斜視図である。図４−１は普通電動役物の開閉片が閉止位置から開放位置に移動する際に、左開閉片と遊技釘との間に遊技球が介在した状態を示す図、図４−２は遊技球の介在付近の一部断面詳細図である。図５−１は普通電動役物の開閉片が開放位置から閉止位置に移動する際に、右開閉片と遊技釘との間に遊技球が介在した状態を示す図、図５−２は遊技球の介在付近の一部断面詳細図である。
【００１７】
図１〜図５を参照して、第１の実施形態を説明する。
先ず図１を参照して、パチンコ機の遊技盤面１には多数の遊技釘２が設けられており、図示しない発射装置から発射通路３を通って遊技盤面１に打ち出された遊技球は、遊技釘２に当たりながら遊技盤面１を下方に向かって走行し、普通電動役物４や特別電動役物５と言われる入賞口或いはその他の入賞口６に入る。また入賞口４、５、６に入らなかった遊技球は排出口７から排出される。８は図柄等の表示部で、大当たり図柄やハズレ図柄を変動表示し、またその他の映像を表示する。なお遊技盤面１は、その前面をカバーガラスで覆われている。
【００１８】
図２、図３を参照して、前記普通電動役物４は、前記遊技盤面１に固定されるベース板４１と、該ベース板４１に支軸４２、４２によって回転自在に入賞口４３を開閉する一対の開閉片４４、４４と、ベース板４１に固定されるカバー体４５と、前記遊技盤面１の背後にあって、前記一対の開閉片４４、４４を開閉させるソレノイド４６と、該ソレノイド４６と前記開閉片４４、４４とを連結する連結部材４７を有する。４４ａは開閉片４４の補助板である。
前記一対の開閉片４４、４４には、その各先端付近に回転自在な回転ガイド体４８を設けている。
前記回転ガイド体４８は、開閉片４４の先端付近に、一対の支軸４４ｂによって回転自在に軸支されて設けられている。
【００１９】
前記回転ガイド体４８は支軸４４ｂによって軸支された円筒として構成されている。しかし、その代わりに円柱の両端面の中心に軸を突設したものとし、これを開閉片４４に設けた軸受け穴で軸支するようにしてもよい。
【００２０】
図４−１、図４−２は、普通電動役物４の開閉片４４、４４が閉止位置から開放位置に移動しているときに、遊技盤面１上を落下走行してきた遊技球Ｂがちょうど左開閉片４４と遊技釘２との間に入って介在した状態を示す。また図５−１、図５−２は、普通電動役物４の開閉片４４、４４が開放位置から閉止位置に移動しているときに、遊技盤面１上を落下走行してきた遊技球Ｂがちょうど右開閉片４４と遊技釘２との間に入って介在した状態を示す。
このようにして、遊技球Ｂが開閉片４４とそれに対向する部品である遊技釘２との間に介在状態となると、その状態で遊技球Ｂが前記開閉片４４の先端付近に設けられた回転ガイド体４８に当たる。すると回転ガイド体４８は僅かな力が加わることで容易に回転するため、遊技球Ｂはその回転ガイド体４８との接点において接線方向Ｘ（挟み込み方向Ｙとは略直角な方向）に容易にバランスを崩すことになる。即ち、遊技球Ｂは回転ガイド体４８の僅かな回転によっても、容易に挟み込みを解く方向にバランスを崩し、その結果として、遊技球Ｂは介在状態に留まることなく、その介在状態から速やかに脱出することになる。
【００２１】
（第２実施形態）
図６は遊技盤面上に設けられた特別電動役物及びその両側の飾りを示した斜視図、図７は特別電動役物の開閉片が閉止位置から開放位置に移動する際に、開閉片とカバーガラスとの間に遊技球が介在した状態を示す断面図、図８は特別電動役物の開閉片が開放位置から閉止位置に移動する際に、開閉片と遊技釘との間に遊技球が介在した状態を示す断面図である。
【００２２】
図６〜図８を参照して、第２の実施形態を説明する。
先ず図６を参照して、前記遊技盤面１上に設けられた特別電動役物５には、１枚ものの開閉片５１が設けられ、該開閉片５１とそれに対向する開口縁部５２との間に入賞口５３が構成される。前記開閉片５１は、例えば遊技盤面１に設けられた長方形状の開口の下辺において軸支された状態で開閉移動することで、入賞口５３を閉止し、また開放する。
前記開閉片５１の先端付近に回転ガイド体５４を設けている。また開閉片５１に対向する開口縁部５２にも回転ガイド体５５を設けている。
開閉片５１の先端付近に設けられる回転ガイド体５４は、前記回転ガイド体４４の場合と同様に円筒として、その筒穴の両端部に図示しない一対の支軸（前記図４の支軸４４ｂと同様のもの）が挿嵌されることで、回転自在に軸支されて設けられている。
開口縁部５２に設けられる回転ガイド体５５も、前記回転ガイド体５４と同様にして支軸によって回転自在に軸支される。
【００２３】
前記回転ガイド体５４、５５は回転自在に軸支された円筒として構成されている。しかし、その代わりに円柱の両端面の中心に軸を突設したものとし、これを開閉片５１や開口縁部５２に設けた軸受け穴で軸支するようにしてもよい。
【００２４】
図７は、特別電動役物５の開閉片５１が閉止位置から開放位置に移動しているときに、遊技盤面１上を落下走行してきた遊技球Ｂがちょうど開閉片５１とカバーガラス９との間に入って介在した状態を示す。また図８は、特別電動役物５の開閉片５１が開放位置から閉止位置に移動しているときに、遊技盤面１上を落下走行してきた遊技球Ｂが開閉片５１と開口縁部５２との間に入って介在した状態を示す。
このようにして、遊技球Ｂが開閉片５１とそれに対向する部品であるカバーガラス９や開口縁部５２との間に介在状態となると、その状態で遊技球Ｂが回転ガイド体５４或いは５５に当たる。すると回転ガイド体５４、５５は僅かな力が加わることで容易に回転するため、遊技球Ｂはその回転ガイド体４８との接点において接線方向に容易にバランスを崩し、その接線方向（遊技球Ｂの挟み込み方向とは直角方向）に移動し、介在状態を脱する。
なお、回転ガイド体５４、５５は何れか一方だけであってもよい。介在状態となる一対の部材の両方に設けると、介在状態に留まるのを一層容易に防止することができる。
【００２５】
（第３実施形態）
図９は遊技盤面上に設けられた普通電動役物の開閉片として、回転ベルトからなる回転ガイド体を設けた開閉片の斜視図、図１０は回転ベルトからなる回転ガイド体を設けた開閉片の分解斜視図である。
【００２６】
図９、１０を参照して、第３の実施形態を説明する。
普通電動役物４の一対の開閉片４４の先端付近の内側に、回転自在に軸支された回転ベルトからなる回転ガイド体４９を設けている。この回転ガイド体４９は、無端ベルト４９ａと一対の平行な回転軸４９ｂ、４９ｂと、該回転軸４９ｂ、４９ｂを回転自在に軸受けする軸受け穴４９ｃで構成されている。４４ａは補助板である。
【００２７】
開閉片４４の先端付近に、平行な２つの回転軸４９ｂ、４９ｂによって、回転自在とされた回転ベルトからなる回転ガイド体４９を設けることで、遊技盤面１上を落下走行してくる遊技球Ｂが開閉片４４とそれに対向する部品との間に介在状態となった場合、遊技球Ｂに回転ガイド体４９が当たることで、該回転ガイド体４９の無端ベルト４９ａが回転する。すると僅かな回転であっても、遊技球Ｂは無端ベルト４９ａとの接点において、接線方向にバランスを崩し、容易に介在状態を脱することができる。
また別の作用効果として、平行な２つの回転軸４９ｂ、４９ｂによって、回転自在とされた回転ベルトからなる回転ガイド体４９を普通電動役物４の一対の開閉片４４、４４の先端付近に設けることで、開放状態とされた開閉片４４に遊技球Ｂが勢いよく飛び込んできた場合でも、その勢いを回転ベルトの持つクッション性により吸収することができる。よって一旦、開閉片４４の中に入った遊技球Ｂが、その勢いで入賞口４３外に飛び出してしまうといった好ましからざる事態を確実に防止することができる。
【００２８】
（第４実施形態）
図１１は遊技盤面上に設けられた普通電動役物付近の一部分解斜視図、図１２は開閉片と遊技釘の間に遊技球が介在した状態を示す一部断面図である。
【００２９】
図１１、１２を参照して第４の実施形態を説明する。
普通電動役物４の一対の開閉片４４、４４の先端に対向する一対の遊技釘２、２に、回転ガイド体２１が回転自在に軸支されている。この回転ガイド体２１は円筒とし、遊技釘２の胴部に嵌り込んで、遊技釘２の胴部を軸心として回転自在とされている。
回転ガイド体２１は金属製とすることで、開閉片４４に対向する位置にある遊技釘２を保護する役割も果たす。前記開閉片４４に対向する位置にある遊技釘２は遊技球Ｂの打撃を頻繁に受けるため、釘が反ったり、変形したりし易い状況にあるが、前記回転ガイド体２１の存在により、それらの反りや変形が防止できるのである。
図１２は、普通電動役物４の開閉片４４、４４が開放位置から閉止位置に移動しているときに、遊技盤面１上を落下走行してきた遊技球Ｂがちょうど右の開閉片４４とそれに対向する直ぐ上の遊技釘２との間に入って介在した状態を示す。
介在状態となった遊技球Ｂに遊技釘２の回転ガイド体２１が当たることで、該回転ガイド体２１が回転する。すると僅かな回転であっても、遊技球Ｂは回転ガイド体２１との接点において、接線方向にバランスを崩し、容易に介在状態を脱し、図面の左下方の入賞口４３に入賞するか、右上方に外れるのである。
【００３０】
以上の実施形態において、回転ガイド体４８、４９、５４、５５は普通電動役物４の開閉片４４或いは特別電動役物５の開閉片５１に設けた態様を示したが、回転ガイド体は前記役物４、５に限らず、他の入賞口６の開閉片に設けることができる。
また回転ガイド体は入賞口の開閉片に設ける他、遊技盤面１上に設けられる揺動片の先端付近にも設けることができる。開閉片を含む揺動片が揺動することにより、その揺動片と対向する位置にある部品との間に遊技球が介在することが生じ得るからである。
更に回転ガイド体は、開閉片を含む揺動片の対向する位置にある部品に設けることができるが、該部品は前記遊技釘２、カバーガラス９、開口縁部５２に限定されるものではなく、遊技盤面１上に配置される遊技部品の全てがその対象となり得る。
【図面の簡単な説明】
【００３１】
【図１】本発明の装置を用いたパチンコ機の遊技盤面の例を示す正面図である。
【図２】本発明の装置を用いたパチンコ機の入賞口の例としての普通電動役物の斜視図である。
【図３】同じく普通電動役物の分解斜視図である。
【図４−１】普通電動役物の開閉片が閉止位置から開放位置に移動する際に、左開閉片と遊技釘との間に遊技球が介在した状態を示す図である。
【図４−２】遊技球の介在付近の一部断面詳細図である。
【図５−１】普通電動役物の開閉片が開放位置から閉止位置に移動する際に、右開閉片と遊技釘との間に遊技球が介在した状態を示す図である。
【図５−２】遊技球の介在付近の一部断面詳細図である。
【図６】本発明の装置を用いたパチンコ機の入賞口の例としての特別電動役物の斜視図である。
【図７】特別電動役物の開閉片が閉止位置から開放位置に移動する際に、開閉片とカバーガラスとの間に遊技球が介在した状態を示す断面図である。
【図８】特別電動役物の開閉片が開放位置から閉止位置に移動する際に、開閉片と遊技釘との間に遊技球が介在した状態を示す断面図である。
【図９】遊技盤面上に設けられた普通電動役物の開閉片として、回転ベルトからなる回転ガイド体を設けた開閉片の斜視図である。
【図１０】回転ベルトからなる回転ガイド体を設けた開閉片の分解斜視図である。
【図１１】遊技盤面上に設けられた普通電動役物付近の一部分解斜視図である。
【図１２】開閉片と遊技釘の間に遊技球が介在した状態を示す一部断面図である。
【符号の説明】
【００３２】
１      遊技盤面
２      遊技釘
３      発射通路
４      普通電動役物
５      特別電動役物
６      入賞口
７      排出口
８      表示部
９      カバーガラス
２１    回転ガイド体
４１    ベース板
４２    支軸
４３    入賞口
４４    開閉片
４４ａ  補助板
４４ｂ  支軸
４５    カバー体
４６    ソレノイド
４７    連結部材
４８    回転ガイド体
４９    回転ガイド体
４９ａ  無端ベルト
４９ｂ  回転軸
４９ｃ  軸受け穴
５１    開閉片
５２    開口縁部
５３    入賞口
５４    回転ガイド体
５５    回転ガイド体
Ｂ      遊技球
【図１】
2005034516.tif 000003
【図２】
2005034516.tif 000004
【図３】
2005034516.tif 000005
【図４−１】
2005034516.tif 000006
【図４−２】
2005034516.tif 000007
【図５−１】
2005034516.tif 000008
【図５−２】
2005034516.tif 000009
【図６】
2005034516.tif 000010
【図７】
2005034516.tif 000011
【図８】
2005034516.tif 000012
【図９】
2005034516.tif 000013
【図１０】
2005034516.tif 000014
【図１１】
2005034516.tif 000015
【図１２】
2005034516.tif 000016